(57)【要約】 【課題】足指の奇形的な症状を矯正することができる足指矯正器、及び該足指矯正器を具えた足指矯正用の靴を提供する。【解決手段】足指矯正用の靴は、インソール部２２と、２つのクッション部２３と、２つの貫通孔２３１と、を有する靴底２と、着用者の足の親指と足の人差し指との間に、該足の親指と該足の人差し指とを隔離するための第１の立柱３１を備え、第１の立柱３１は、弾性材料で、着用者の足の親指及び足の人差し指と接触することができ、且つ、第１の竪孔３１４を有するように構成されており、柱径が第１の竪孔３１４の孔径よりやや大きい柱状に形成され、第１の竪孔３１４に周りから締め付ける弾性力に対抗しながら詰め込まれて第１の立柱３１を膨らますことができる第１の調整手段３１２を備え、着用者の足の親指と足の人差し指とを隔離させるための力を調整することができる足指矯正器３と、を備えている。【選択図】図６
2019166309.tif 000002
【特許請求の範囲】
【請求項１】
着用者の足の指側を横断することができるように靴に配置され得る足指矯正器であって、
着用者の足の親指と足の人差し指との間に、該足の親指と該足の人差し指とを隔離するための1つの第１の立柱を備え、
前記第１の立柱は、弾性材料で、着用者の足の指側を横断する横断線にある両側が着用者の足の親指及び足の人差し指とそれぞれ接触することができ、且つ、中心軸近くに上方開口を有する第１の竪孔を有するように構成されており、
また、柱径が前記第１の竪孔の孔径よりやや大きい柱状に形成されていて、前記第１の竪孔の前記上方開口である第１の上開口から前記第１の竪孔に周りから締め付ける弾性力に対抗しながら詰め込まれて前記第１の立柱を膨らますことができる第１の調整手段を更に備え、
前記第１の調整手段を前記第１の立柱の前記第１の竪孔に詰め込んで前記第１の立柱を膨らますことにより、着用者の足の親指と足の人差し指とを隔離させるための力を調整することができる
ことを特徴とする足指矯正器。
【請求項２】
着用者の足の人差し指、足の中指、足の薬指及び足の小指におけるいずれかの隣り合う両指の間に、該両指を隔離するための第２の立柱を少なくとも1つ備え、
前記第２の立柱は、弾性材料で、着用者の足の指側を横断する横断線にある両側が着用者の前記両指とそれぞれ接触することができ、且つ、中心軸近くに上方開口を有する第２の竪孔を有するように構成されており、
また、柱径が前記第２の竪孔の孔径よりやや大きい柱状に形成されていて、前記第２の竪孔の前記上方開口である第２の上開口から前記第２の竪孔に周りから締め付ける弾性力に対抗しながら詰め込まれて前記第２の立柱を膨らますことができる第２の調整手段を更に備え、
前記第２の調整手段を前記第２の立柱の前記第２の竪孔に詰め込んで前記第２の立柱を膨らますことにより、着用者の足の前記両指を隔離させるための力を調整することができる
ことを特徴とする請求項１に記載の足指矯正器。
【請求項３】
前記第２の立柱は、足の人差し指と足の中指との間、足の中指と足の薬指との間、及び足の薬指と足の小指との間の３つを備え、
前記第１の立柱及び前記３つの第２の立柱は、前記着用者の足の指側を横断する方向に沿って配置されると共に、立柱同士間にそれぞれ同じ側の端部同士を連結するように配置されている連結手段を更に具えている
ことを特徴とする請求項２に記載の足指矯正器。
【請求項４】
前記第１の立柱及び第２の立柱は、いずれの横断面も、短手方向が着用者の足の指側を横断する方向に延伸する略楕円形、または、頂点が指股の方にあり、頂点の対辺が指股に対し遠い方にある略三角形になっている
ことを特徴とする請求項２に記載の足指矯正器。
【請求項５】
上面に足を載せることができ、靴に着脱自在に配置されているインソール部と、それぞれ前記インソール部の周縁部から立ち上がって、互いに向かい合うように配置されている２つのクッション部とを有し、各前記クッション部に足の指に近い足の側面を露出することができると共に、各前記クッション部の厚さ方向に沿って貫通する２つの貫通孔が形成されている靴底と、
前記靴底の上面に足の指同士を隔離することができるように配置されている請求項１〜請求項４のいずれか一項に記載の足指矯正器と、を備えている
ことを特徴とする足指矯正用の靴。
【発明の詳細な説明】
【技術分野】
【０００１】
本発明は、足指矯正器、及び該足指矯正器を具えた足指矯正用の靴に関し、具体的には、例えば、足指の外反母趾や内反小趾などの足指の形態異常を矯正することができる足指矯正器、及び該足指矯正器を具えた足指矯正用の靴に関する。
【背景技術】
【０００２】
例えば、サイズの足に合わない靴やハイヒールのような爪先の細い靴の長時間着用、悪い歩行姿勢といった原因で、足指に外反母趾や内反小趾のような形態異常を来たすことがある。このような足指の異常によって、身体の姿勢が歪み重心が偏り、ひいては脊椎或いは足に影響を与えて身体の他の部分にも痛みを引き起こすことになりかねない。一般的には、足指の変形を矯正させるべく、患者に足指矯正器を着用させることができる。
【０００３】
図１を参照して、従来の足指矯正器１について説明する。ここで、図１は特許文献１に記載された従来の足指矯正器１が示される斜視図である。
【０００４】
図１に示されるように、下記の特許文献１に記載された従来の足指矯正器１は、足の親指を支持することができるように構成されている支持手段１１と、柱状に形成されていて足の親指と足の人差し指の間に足の親指と足の人差し指を隔離する（即ち、指同士の間隔を広げる）ことができるように配置されている１つの第１の立柱１２と、該第１の立柱１２と同じく柱状に形成されていて該第１の立柱１２と間隔をあけると共に、それぞれ該第１の立柱１２の同一側から、足の親指と足の人差し指の以外の足の指の間に足の指同士を隔離することができるように配置されている３つの第２の立柱１３と、一端が支持手段１１と連続すると共に第１の立柱１２及び３つの第２の立柱１３の同じ側の上端部同士を連結する上連結手段１４と、一端が支持手段１１と連続すると共に第１の立柱１２及び３つの第２の立柱１３の同じ側の下端部同士を連結する下連結手段１５と、を備えている。
【０００５】
足の指同士を隔離することができる第１の立柱１２及び第２の立柱１３によって、患者の足の指の間隔を広げることで足の骨ずれを矯正して足指の変形を改善することができる。
【先行技術文献】
【特許文献】
【０００６】
【特許文献１】台湾実用新案第Ｍ５３１８５３号明細書
【発明の概要】
【発明が解決しようとする課題】
【０００７】
しかしながら、特許文献１に記載した従来の足指矯正器は、第１の立柱及び第２の立柱それぞれの形状や硬さが固定されているので、患者の足指の変形の重症度に応じて形状や硬さを調整することが困難である。したがって、例えば症状の重い患者に対しては過度の痛み又は不快感をもたらすことがあり、足指矯正器を長時間着用することができなく、矯正の目的を達成させることができず、一方、症状の軽い患者へも矯正効果を発揮させることができない。そのため、該従来の足指矯正器の構造の設計には尚も改善の余地がある。
【０００８】
よって、本発明は上記問題点に鑑みて、上記欠点を解決できる足指矯正器を提供することを目的とする。
【課題を解決するための手段】
【０００９】
上記目的を達成すべく、本発明は以下の足指矯正器を提供する。
【００１０】
即ち、着用者の足の指側を横断することができるように靴に配置され得る足指矯正器であって、
着用者の足の親指と足の人差し指との間に、該足の親指と該足の人差し指とを隔離するための1つの第１の立柱を備え、
第１の立柱は、弾性材料で、着用者の足の指側を横断する横断線にある両側が着用者の足の親指及び足の人差し指とそれぞれ接触することができ、且つ、中心軸近くに上方開口を有する第１の竪孔を有するように構成されており、
また、柱径が第１の竪孔の孔径よりやや大きい柱状に形成されていて、第１の竪孔の上記上方開口である第１の上開口から第１の竪孔に周りから締め付ける弾性力に対抗しながら詰め込まれて第１の立柱を膨らますことができる第１の調整手段を更に備え、
第１の調整手段を第１の立柱の第１の竪孔に詰め込んで第１の立柱を膨らますことにより、着用者の足の親指と足の人差し指とを隔離させるための力を調整することができる足指矯正器を提供する。
【００１１】
また、本発明は、上面に足を載せることができ、靴に着脱自在に配置されているインソール部と、それぞれインソール部の周縁部から立ち上がって、互いに向かい合うように配置されている２つのクッション部とを有し、各クッション部に足の指に近い足の側面を露出することができると共に、各クッション部の厚さ方向に沿って貫通する２つの貫通孔が形成されている靴底と、
靴底の上面に足の指同士を隔離することができるように配置されている上記の足指矯正器と、を備えている足指矯正用の靴をも提供する。
【発明の効果】
【００１２】
上記手段によれば、本発明に係る足指矯正器は、異なる柱径の第１の調整手段を用いて、足の親指と足の人差し指の間隔に応じて、弾性を有する材料から作成されている第１の立柱の第１の竪孔の内に適切な柱径の第１の調整手段を詰め込んで、第１の竪孔を広げるように取り付けることによって、第１の立柱を膨らますことができ、即ち第１の立柱の太さを調整することができる。そのため、足指の変形症状の軽い患者でも症状の重い患者でも矯正効果を発揮させることができる。
【図面の簡単な説明】
【００１３】
【図１】特許文献１に記載された従来の足指矯正器が示される斜視図である。
【図２】本発明に係る足指矯正用の靴の第１の実施形態が示される斜視図である。
【図３】本発明に係る足指矯正器の実施形態が示される斜視図である。
【図４】該実施形態において、第１の立柱及び第２の立柱の構成が示される断面図である。
【図５】該実施形態において、第１の調整手段が第１の竪孔の内に詰め込まれまた第２の調整手段が第２の竪孔の内に詰め込まれた状態が示される断面図である。
【図６】本発明に係る足指矯正用の靴の第２の実施形態が示される斜視図である。
【発明を実施するための形態】
【００１４】
本発明に係る足指矯正器３、及び該足指矯正器３を具えた足指矯正用の靴５は、例えば、足指の外反母趾や内反小趾のような足指の変形を矯正させるべく、着用するのに適するものである。
【００１５】
以下、本発明に係る足指矯正器３、及び該足指矯正器３を具えた足指矯正用の靴５について実施例を挙げて図面を参照して説明する。
【００１６】
図２〜図５を参照して本発明に係る足指矯正用の靴５の第１の実施形態及び足指矯正器３の実施形態を説明する。ここで、図２は本発明に係る足指矯正用の靴５の第１の実施形態が示される斜視図であり、図３は本発明に係る足指矯正器３の実施形態が示される斜視図であり、図４は該実施形態において、第１の立柱３１及び第２の立柱３２の構成が示される断面図である。
【００１７】
また、図５は該実施形態において、第１の調整手段３１２が第１の竪孔３１４の内に詰め込まれまた第２の調整手段３２２が第２の竪孔３２５の内に詰め込まれた状態が示される断面図である。
【００１８】
図２に示されるように、本発明に係る第１の実施形態の足指矯正用の靴５は、上面に足を載せることができる靴底２と、靴底２の上面に靴５の着用者（以下単に着用者）の足の指側を横断することができるように靴に配置される足指矯正器３と、靴底２の周縁部から立ち上がって、靴底２に掛け渡されている靴アッパー４と、を備えている。
【００１９】
足指矯正器３は、図３に示されるように、第１の方向（上下方向）Ｄ１に沿って延伸する柱状に形成され、着用者の足の親指と足の人差し指との間に、該足の親指と該足の人差し指とを隔離するための1つの第１の立柱３１と、第１の方向Ｄ１に沿って延伸する柱状に形成され、着用者の足の人差し指、足の中指、足の薬指及び足の小指における隣り合う両指の間に、該両指を隔離するための３つの第２の立柱３２と、を備えている。
【００２０】
また、該３つの第２の立柱３２は、第１の立柱３１と間隔をあけていて、それぞれ該第１の立柱３１の同一側から第１の方向Ｄ１と略直交する第２の方向（左右方向）Ｄ２に沿って互いに間隔をあけるように配置されている。
【００２１】
本実施形態では、該第２の立柱３２の数量は、足の人差し指と足の中指との間、足の中指と足の薬指との間、及び足の薬指と足の小指との間の３つを備えているが、勿論ここで３つに限定されず、いずれかの隣り合う両指の間に配置されるよう１つでも２つでもよく、場合によっては４つ以上でも良い。
【００２２】
第１の立柱３１は、図３及び図４に示されるように、弾性材料で着用者の足の指側を横断する横断線にある両側が着用者の足の親指及び足の人差し指とそれぞれ接触することができ、且つ、中心軸近くに第１の方向Ｄ１に沿って延伸し且つ上方へ開口した第１の上開口３１５を有する第１の竪孔３１４を有するように構成されている。
【００２３】
また、各第２の立柱３２は、図３及び図４に示されるように、弾性材料で着用者の足の指側を横断する横断線にある両側が両側の着用者の足指とそれぞれ接触することができ、且つ、中心軸近くに第１の方向Ｄ１に沿って延伸し且つ上方へ開口した第２の上開口３２６を有する第２の竪孔３２５を有するように構成されている。
【００２４】
また、本実施形態において足指矯正器３は、図４に示されるように、第１の方向Ｄ１に沿って第１の竪孔３１４の内に着脱自在に挿入することができ、柱径が第１の竪孔３１４の孔径よりやや大きい柱状に形成されていて、第１の竪孔３１４の第１の上開口３１５から第１の竪孔３１４に周りから締め付ける弾性力に対抗しながら詰め込まれて第１の立柱３１を膨らますことができる第１の調整手段３１２と、第２の立柱３２の数量に応じて、第１の方向Ｄ１に沿って第２の竪孔３２５の内に着脱自在に挿入させることができ、柱径が第２の竪孔３２５の孔径よりやや大きい柱状に形成されていて、第２の竪孔３２５の第２の上開口３２６から第２の竪孔３２５に周りから締め付ける弾性力に対抗しながら詰め込まれて第２の立柱３２を膨らますことができる第２の調整手段３２２と、を更に備えている。
【００２５】
なお、適切な足の指の間隔に対応するべく、第１の調整手段３１２を第１の立柱３１の第１の竪孔３１４に詰め込んで第１の立柱３１を膨らますことにより、着用者の足の親指と足の人差し指とを隔離させるための力を調整することができ、同じく、第２の調整手段３２２を第２の立柱３２の第２の竪孔３２５に詰め込んで第２の立柱３１を膨らますことにより、着用者の足の隣り合う両指を隔離させるための力を調整することができる。
【００２６】
さらに、柱状に形成された第１の調整手段３１２及び第２の調整手段３２２は、柱径を２ｍｍ〜１２ｍｍの範囲内とすることができる。
【００２７】
第１の立柱３１及び３つの第２の立柱３２は、図３〜図５に示されるように、着用者の足の指側を横断する方向に沿って配置されると共に、立柱同士間にそれぞれ同じ側の端部同士を連結するように配置されている連結手段３２３を更に具えている。本実施形態では、連結手段３２３は、３つ有しているが、場合によって数量を変更することができる。
【００２８】
第１の立柱３１及び各第２の立柱３２は、ポリウレタン（polyurethane、略称：ＰＵ）、シリカゲル（silica gel) 、ゴムといった弾性を具えた材料から作成されているものであり、また、第１の調整手段３１２及び第２の調整手段３２２は、それぞれ第１の竪孔３１４及び第２の竪孔３２５の内に挿入し詰め込むために、硬質材料から作成されているものである。
【００２９】
そのため、第１の立柱３１及び各第２の立柱３２は、図４及び図５に示されるように、それぞれ異なる柱径の第１の調整手段３１２及び第２の調整手段３２２を用いて太さを調整することができ、そして着用者のいずれか２本の足の指を隔離させるための力を調整することができる。
【００３０】
なお、第１の立柱３１及び第２の立柱３２は、図示の例においては、図３に示されるように、頂点が指股の方にあり、頂点の対辺が指股に対し遠い方にある略三角形になっているが、あるいは、第１の方向Ｄ１に沿った横断面において、第１の方向Ｄ１と略直交する第３の方向Ｄ３を長手方向とし、第１の方向Ｄ１と第３の方向Ｄ３との両方と略直交する第２の方向Ｄ２を短手方向として延伸する、即ち短手方向が着用者の足の指側を横断する方向に延伸する略楕円形になっていてもよい。
【００３１】
言い換えれば、第１の立柱３１及び第２の立柱３２は、該横断面が略三角形の場合、第１の立柱３１及び第２の立柱３２における足の指の股に挟まれる部分が横断面の頂点に近い隅のみの小面積の箇所にあり、対応の足の指の側面に接触する部分が三角形の両長辺にあるようになる。また、該横断面が略楕円形の場合、第１の立柱３１及び第２の立柱３２における足の指の股に挟まれる部分が曲率が大きい箇所にあり、対応の足の指の側面に接触する部分が曲率が小さい箇所にあるようになる。
【００３２】
勿論、ここで第１の立柱３１及び第２の立柱３２は、いずれも略楕円形柱形状及び略三角形柱形状に限定されず、患者の足指の奇形的な症状の重さ或いは足指の形状によって、例えば、円形柱形状、菱形柱形状などであることができる。
【００３３】
よって、使用者は、足指の変形症状の重さに応じて、相応しい柱径の第１の調整手段３１２及び第２の調整手段３２２を選んで、第１の竪孔３１４及び第２の竪孔３２５の内に挿入して詰め込むことで、第１の立柱３１及び第２の立柱３２の太さを調整することができる。したがって、症状の重い患者へ痛みまたは不快感をもたらすことなく、足指矯正器３を長時間着用することができ、矯正の目的を達成させることができる。且つ、症状の軽い患者へも矯正の効果を発揮させることができる。
【００３４】
本発明に係る足指矯正用の靴５の靴アッパー４は、図２に示されるように、足の側方から足の甲にかけて覆うことができる本体部４１を有している。
【００３５】
さらに、使用者は、本実施形態の足指矯正用の靴５を長時間着用している際に、外反母趾や内反小趾といった足指の変形症状で足の指に近い足の側面にできた突出箇所が靴アッパー４の内側に頻繁に摩擦されることで、該突出箇所に肌荒れ、胼胝、魚の目などを伴う痛みを生じる恐れがある。そのため、靴アッパー４の本体部４１には、図２に示されるように、足の指に近い足の側面を露出することができると共に、厚さ方向に沿って貫通する２つの貫通孔４２が形成されている。
【００３６】
なお、本実施形態において、靴アッパー４は、図２に示されるように、足の側方から足の甲にかけて覆っていて足の指の先端を露出する設計であるが、他の実施形態において、靴アッパー４は、足の指の先端までも覆う設計であることができる。
【００３７】
図６を参照して本発明に係る足指矯正用の靴５の第２の実施形態を説明する。ここで、図６は本発明に係る足指矯正用の靴５の第２の実施形態が示される斜視図である。
【００３８】
本発明に係る足指矯正用の靴５の第２の実施形態は、第１の実施形態と多くの構成が共通する。本実施形態の足指矯正用の靴５は、図６に示されるように、靴底２と、足の指同士を隔離することができるように配置されている上記の足指矯正器３と、を具えている。
【００３９】
靴底２には、靴における既存の構成であるソール部２１と、上面に足を載せることができ、ソール部２１の上に着脱自在に配置されていると共に、上に足指矯正器３を取り付けることができるインソール部２２と、それぞれインソール部２２の周縁部から立ち上がって、互いに向かい合うように配置されている２つのクッション部２３と、それぞれ各クッション部２３に足の指に近い足の側面を露出することができると共に、各クッション部２３の厚さ方向に沿って貫通するように形成されている２つの貫通孔２３１と、を具えている。
【００４０】
よって、使用者は、本発明に係る第１の実施形態の足指矯正用の靴５を着用することに限定されず、本実施形態のように足指矯正器３を具えたインソール部２２を既存の靴に取り付けることができるので、どんな靴でも足指矯正器３を具えたインソール部２２を装着すれば、足指の変形矯正を実行することができる。
【００４１】
総括すると、本発明の足指矯正器３は、足指の変形症状の重さに応じて、第１の調整手段３１２の柱径を調整し、第１の竪孔３１４の内に詰め込んで第１の立柱３１を膨らますことにより、弾性を具えた第１の立柱３１が第１の調整手段３１２の柱径に従って太さを変更することができる。
【００４２】
さらに、足指の変形症状の場合によって、足指矯正器３において少なくとも1つの第２の立柱３２を追加しても良く、そして、第１の立柱３１と同じく第２の調整手段３２２の太さを調整し、第２の竪孔３２５の内に詰め込んで第２の立柱３２を膨らますことにより、弾性を具えた第２の立柱３２が第２の調整手段３２２の柱径に従って太さを変更することができる。
【００４３】
そのため、外反母趾の患者へも、内反小趾の患者へも、足指の変形症状の重い患者へも、症状の軽い患者へも、矯正の効果を発揮させることができる。
【００４４】
また、本発明の足指矯正用の靴５は、変形した足指に傷をつけない設計を具えていると共に、足指矯正器３がインソール部２２に取り付けることができることで、どんな靴にも適用することができる。
【００４５】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。
【００４６】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【産業上の利用可能性】
【００４７】
上記手段によれば、本発明に係る足指矯正器は、足指の変形症状の重さに対応して、異なる柱径の第１の調整手段を用いて第１の立柱の太さを調整することができるため、足指の変形症状の軽い患者にも症状の重い患者にも効果的に矯正を行うことができる。そのため、産業上の利用可能性がある。
【符号の説明】
【００４８】
１  従来の足指矯正器
１１  支持手段
１２  第１の立柱
１３  第２の立柱
１４  上連結手段
１５  下連結手段
２  靴底
２１  ソール部
２２  インソール部
２３  クッション部
２３１  貫通孔
３  足指矯正器
３１  第１の立柱
３１２  第１の調整手段
３１４  第１の竪孔
３１５  第１の上開口
３２  第２の立柱
３２２  第２の調整手段
３２３  連結手段
３２５  第２の竪孔
３２６  第２の上開口
４  靴アッパー
４１  本体部
４２  貫通孔
５  足指矯正用の靴
Ｄ１  第１の方向
Ｄ２  第２の方向
Ｄ３  第３の方向
【図１】
2019166309.tif 000003
【図２】
2019166309.tif 000004
【図３】
2019166309.tif 000005
【図４】
2019166309.tif 000006
【図５】
2019166309.tif 000007
【図６】
2019166309.tif 000008